(57)【特許請求の範囲】
【請求項１】
折損した電柱を補修するための折損電柱補修装置であって、
残存した電柱の中空部に挿通される柱体と、
前記柱体の地上から突出する部分の下部に固定され、該柱体から地面に沿って外方に延設されるアーム部材と、
前記アーム部材の先端部に一体に設けられ、折損した電柱の一部に固定されたワイヤを係止するワイヤ中継部と、
前記ワイヤの引張作業により引き起こされた電柱を、前記柱体に固定させる固定手段と、
を具備することを特徴とする折損電柱補修装置。
【請求項２】
前記固定手段は、
前記柱体に対して進退するようにスライド可能に固定され、前記引き起こされた電柱と当接する電柱当接部材と、
前記柱体に固定され、前記引き起こされた電柱を前記柱体側に引き寄せるためのワイヤを固定するワイヤ固定部材と、
前記柱体に固定され、前記電柱当接部材に当接した電柱に巻き付けられるチェーンを固定するチェーン固定部材と、
を有して構成されることを特徴とする請求項１記載の折損電柱補修装置。
【請求項３】
前記ワイヤ中継部は、
前記アーム部の前記柱体とは反対側の端部に設けられたリング状部材と、
前記アーム部の前記柱体とは反対側の端部に設けられたローラ状部材と、
を有して構成されることを特徴とする請求項１又は２記載の折損電柱補修装置。
【請求項４】
前記請求項１〜３のいずれか１つに記載の折損電柱補修装置を用いた折損電柱補修方法であって、
前記アーム部材が、高圧線の本来の架設方向を基準にして、折損した電柱の傾斜した側とは反対側で、且つ該架設方向に対して垂直方向に延設されるように、前記折損電柱補修装置を設置する第１のステップと、
折損した電柱の頂部近傍に固定されたワイヤを、前記ワイヤ中継部を介して、前記アーム部材の延設方向に引っ張る第２のステップと、
略垂直に引き起こされた電柱を、前記固定手段により前記柱体に固定する第３のステップと、
を有することを特徴とする折損電柱補修方法。
【請求項５】
前記固定手段が、前記請求項２記載の構成を有する場合であって、
前記第１のステップ及び／又は第２のステップにおいて、前記電柱当接部を前記柱体に近づくようにスライドさせておき、
前記第３のステップにおいて、前記電柱当接部を前記電柱に近づくようにスライドさせることを特徴とする請求項４記載の折損電柱補修方法。
【発明の詳細な説明】
【技術分野】
【０００１】
本発明は、車両の衝突等により折損した電柱を補修するための装置に関するものである。
【背景技術】
【０００２】
折損した電柱を完全に修復する前の段階として、折損した電柱を地面と垂直になるように引き起し、仮固定する補修作業が必要である。このような補修作業に用いられる従来の装置として、管体の下部を折損電柱の地中残存部に挿入する埋込み部、その上部を地上残存部に添わせる電柱支持部とし、埋込み部を地中残存部に圧接固定させ、電柱支持部に折損電柱の地上残存部をチェーン等で固定させるものが開示されている（特許文献１参照）。
【特許文献１】特開平６−３２３０４０号公報
【発明の開示】
【発明が解決しようとする課題】
【０００３】
しかしながら、上記特許文献１に開示されるような装置においては、折損電柱の地上残存部を管体の電柱支持部に近付けるために、クレーン車が必要となる。そのため、クレーン車の手配に時間やコストが多くかかったり、クレーン車が進入できない場所では作業ができないといった不具合があった。
【０００４】
そこで、本発明は、クレーン車等の設備を必要とせずに、折損した電柱を簡便且つ確実に補修することができる装置を提供することを目的とする。
【課題を解決するための手段】
【０００５】
上記目的の達成を図る本発明は、折損した電柱を補修するための折損電柱補修装置であって、残存した電柱の中空部に挿通される柱体と、前記柱体の地上から突出する部分の下部に固定され、該柱体から地面に沿って外方に延設されるアーム部材と、前記アーム部材の先端部に一体に設けられ、折損した電柱の一部に固定されたワイヤを係止するワイヤ中継部と、前記ワイヤの引張作業により引き起こされた電柱を、前記柱体に固定させる固定手段と、を具備することを特徴とするものである（請求項１）。
【０００６】
上記構成によれば、先ず折損した電柱の一部に固定されたワイヤを、アーム部材の一部に設けられたワイヤ中継部を介して引っ張ることにより、傾いた電柱を地面に対して略垂直に引き起こし、その後引き起こされた電柱を、固定手段によって柱体に固定することができる。このように、電柱に巻き付けられたワイヤを、アーム部材に設けられたワイヤ中継部を介して、ウィンチ機構等を有して構成されるワイヤ巻取装置等によって引っ張ることにより、従来のようにクレーン車を用いてワイヤを上方へ引き上げることをしなくても、電柱を地面に対して垂直になるように引き起こすことができるようになる。これにより、クレーン車等の設備がなくても、電柱を引き起こすことができるので、クレーン車が進入できないような場所であっても、簡便且つ確実に折損電柱の補修作業を行うことができる。
【０００７】
また、上記請求項１記載の構成において、前記固定手段は、前記柱体に対して進退するようにスライド可能に固定され、前記引き起こされた電柱と当接する電柱当接部材と、前記柱体に固定され、前記引き起こされた電柱を前記柱体側に引き寄せるためのワイヤを固定するワイヤ固定部材と、前記柱体に固定され、前記電柱当接部材に当接した電柱に巻き付けられるチェーンを固定するチェーン固定部材とを有して構成されることが好ましい（請求項２）。
【０００８】
この構成によれば、引き起こされた電柱を、先ずワイヤ固定部材に固定されたワイヤによって柱体側に引き寄せ、電柱当接部に当接させた後、電柱に巻き付けたチェーンをチェーン固定部材に固定することによって、確実に電柱を柱体に固定することができる。
【０００９】
また、上記請求項１又は２記載の構成において、前記ワイヤ中継部は、前記アーム部の前記柱体とは反対側の端部に設けられたリング状部材と、前記アーム部の前記柱体とは反対側の端部に設けられたローラ状部材とを有して構成されることが好ましい（請求項３）。
【００１０】
この構成によれば、ワイヤの引張作業を、該ワイヤに過度の負担をかけることなくスムーズに行うことができる。
【００１１】
また、本発明は、上記請求項１〜３のいずれか１つに記載の折損電柱補修装置を用いた折損電柱補修方法であって、前記アーム部材が、高圧線の本来の架設方向を基準にして、折損した電柱の傾斜した側とは反対側で、且つ該架設方向に対して垂直方向に延設されるように、前記折損電柱補修装置を設置する第１のステップと、折損した電柱の頂部近傍に固定されたワイヤを、前記ワイヤ中継部を介して、前記アーム部材の延設方向に引っ張る第２のステップと、略垂直に引き起こされた電柱を、前記固定手段により前記柱体に固定する第３のステップとを有するものである（請求項４）。
【００１２】
このように、傾いた電柱を垂直に引き起こす段階において、先ずアーム部材が上記のように高圧線の架設方向に対して垂直となるように折損電柱補修装置を設置し、次いで電柱に巻き付けられたワイヤを、アーム部材の延長方向に沿って引っ張ることにより、効率的に電柱を引き起こすことができる。
【００１３】
また、上記請求項４記載の方法において、前記固定手段が上記請求項２記載の構成を有する場合であって、前記第１のステップ及び／又は第２のステップにおいて、前記電柱当接部を前記柱体に近づくようにスライドさせておき、前記第３のステップにおいて、前記電柱当接部を前記電柱に近づくようにスライドさせることが好ましい（請求項５）。
【００１４】
このように、電柱を引き起こす段階では電柱当接部を柱体側に引っ込めておくことにより、電柱が垂直に起き上がってくる際に、電柱当接部が邪魔になることを防止できる。
【発明の効果】
【００１５】
以上のように、本発明によれば、折損して傾いた電柱に固定されたワイヤを、アーム部材に設けられたワイヤ中継部を介して、ウィンチ機構等を有して構成されるワイヤ巻取装置等を利用して引っ張ることによって、従来のようにクレーン車を用いてワイヤを上方へ引き上げることをしなくても、電柱を地面に対して垂直となるように引き起こすことができるので、クレーン車等の設備がなくても、簡便且つ確実に折損電柱の補修作業を行うことができる。
【発明を実施するための最良の形態】
【００１６】
以下、添付した図面を参照して本発明の実施例を説明する。図１に示すのは、本実施例に係る折損電柱補修装置１であり、この折損電柱補修装置１は、図４に示すように、折損して傾いた電柱１５ａを垂直に戻して保持するためのものである。
【００１７】
折損電柱補修装置１は、柱体２、アーム部材３、支持体４、電柱当接部材５、ワイヤ固定部材６、チェーン固定部材７、ワイヤ中継部１０を具備して構成される。
【００１８】
柱体２は、円柱状の部材であり、残留電柱１５ｂ，１５ｃの中空部１６に挿通され、地上に突出する地上部２ａと地中に没する地中部２ｂとに分けられる。この地上部２ａには、電柱当接部材５、ワイヤ固定部材６、チェーン固定部材７が配されている。図２に示すように、電柱当接部材５は、ボルト２０を挿通可能な長孔２１を有し、該ボルト２０によって柱体２（地上部２ａ）に固定可能になされている。また、該電柱当接部材５の折損電柱１５ａと対峙する面には、該折損電柱１５ａの円柱形に沿った形状の湾曲面２３が形成されている。ワイヤ固定部材６は、一端が柱体２に固定され、他端部に電柱固定用ワイヤ３０（図６参照）を締め付けて固定するハンドル部２５が設けられている。また、該ワイヤ固定部材６は、図示しないが、柱体２の反対側にも同様のものが固定されている。チェーン固定部材７は、Ｕ字形状に形成された鉄鋼等からなる部材であり、Ｕ字の折り返し部分が折損電柱１５ａと対峙する側にくるように柱体２に固定され、該折り返し部分に電柱固定用チェーン３５（図６参照）が掛けられるようになされている。また、該チェーン固定部材７は、図示しないが、柱体２の反対側にも同様のものが固定されている。
【００１９】
図１に示すように、アーム部材３は、一端が柱体２の地上部２ａの下部に固定され、柱体２から外方に向かって延設される部材であり、柱体２と連結する第１の部材３ａと、該第１の部材３ａと連結する第２の部材３ｂと、これら第１の部材３ａ及び第２の部材３ｂを長さが調節できるように固定するボルト等の固定部材２７とから構成される。また、第２の部材３ｂの先端部には、後述するワイヤ中継部１０が設けられ、中間部には柱体２に一端が揺動可能に固定された支持体４の他端が揺動可能に固定されている。
【００２０】
ワイヤ中継部１０は、図１（ａ），（ｂ）及び図３に示すように、リング部１１とローラ部１２とから構成される。リング部１１は、前記アーム部３の第２の部材３ｂの先端近傍の上面部に立設されたプレート状の部材であり、穴１７が穿設されている。ローラ部１２は、第２の部材３ｂの先端部に立設された２枚のプレート部材１８ａ，１８ｂと、両プレート部材１８ａ，１８ｂの間に回転可能に軸支されるローラ１９とによって構成される。これらリング部１１の穴１７とローラ１９とに、傾いた折損電柱１５ａ（図４参照）を引き起こすための電柱引き起し用ワイヤ２４が係止される。
【００２１】
上記構成の折損電柱補修装置１を用いた補修作業は、大きく分けて２つの段階を経て行われる。
【００２２】
第１の段階（請求項４中、第１及び第２のステップに相当する）は、図４及び図５に示すように、傾いた折損電柱１５ａを、地面と垂直に引き起こす段階である。多くの場合、折損電柱１５ａは、図５に示すように、高圧線２６と隣接する電柱２８，２９とによって支えられ、傾いた状態で留まっている。この第１のステップでは、先ず電柱引き起し用ワイヤ２４の一端側を折損電柱１５ａの上部に巻き付け、他端側をワイヤ中継部１０のリング部１１とローラ部１２とを介してウィンチ機構等を有して構成されるワイヤ巻き上げ装置２２に連結する。そして、ワイヤ巻き上げ装置２２を駆動させ、電柱引き起し用ワイヤ２４を図中矢印の方向に引っ張ることにより、折損電柱１５ａを地面と垂直になるように引き起こしていく。この時、折損電柱補修装置１は、図５に示すように、アーム部材３が、本来電線２６が架設されるべき方向を示す線Ａを基準にして折損電柱１５ａが倒れている側とは反対側で、且つ該線Ａに対して垂直に延長するように設置される。また、この段階では、図４に示すように、電柱当接部材５を柱体２側にスライドさせておくと共に、ワイヤ固定部材６を折損電柱１５ａ側へ突き出さないようにその関節部２７（図２参照）を調節しておくことが好ましく、これにより折損電柱１５ａを引き起す際に、電柱当接部材５及びワイヤ固定部材６が邪魔になることがない。この方法により、折損電柱１５ａを効率的に引き起こすことができる。
【００２３】
次いで、第２の段階（請求項４中、第３のステップに相当する）では、引き起こされた折損電柱１５ａを折損電柱補修装置１の柱体２に固定する作業が行われる。この作業では、先ず図６（ａ）に示すように、電柱当接部５を折損電柱１５ａ側にスライドさせると共に、電柱固定用ワイヤ３０を、ワイヤ固定部材６を利用して折損電柱１５ａに巻き付け、この電柱固定用ワイヤ３０を所定のワイヤ締付工具３１で締め付けていくことによって、折損電柱１５ａを柱体２側に引き寄せ、折損電柱１５ａを電柱当接部５に当接させる。次いで、図６（ｂ）に示すように、チェーン固定部材７を利用して複数の電柱固定用チェーン３５を折損電柱１５ａに巻き付けて固定する。
【００２４】
以上のように、本発明の折損電柱補修装置１によれば、従来のようにクレーン車を利用することなく傾いた折損電柱１を引き起こすことができるので、作業性やコスト性が格段に向上し、またクレーン車が進入できないような場所であっても、補修作業を行うことが可能となる。
【図面の簡単な説明】
【００２５】
【図１】図１（ａ）は本発明に係る折損電柱補修装置の正面図であり、図１（ｂ）は当該折損電柱補修装置の左側面図である。
【図２】図２は電柱当接部、ワイヤ固定部、及びチェーン固定部の構造を示す斜視図である。
【図３】図３はワイヤ中継部の構造を示す斜視図である。
【図４】図４は折損電柱補修装置を用いて折損電柱を引き起こす段階の状態を示す図である。
【図５】図５は折損電柱を引き起こす段階における折損電柱補修装置のアーム部材の配置方向、及び電柱引き起し用ワイヤの引張方向を示す図である。
【図６】図６（ａ）は引き起こされた折損電柱を柱体に引き寄せる際の状態を示す図であり、図６（ｂ）は柱体に引き寄せられた折損電柱を柱体に固定する際の状態を示す図である。
【符号の説明】
【００２６】
１  折損電柱補修装置
２  柱体
３  アーム部
４  支持体
５  電柱当接部
６  ワイヤ固定部材
７  チェーン固定部材
１０  ワイヤ中継部
１５ａ  折損電柱
２２  ワイヤ巻き上げ装置
【図１】
0005105994.tif 000002
【図２】
0005105994.tif 000003
【図３】
0005105994.tif 000004
【図４】
0005105994.tif 000005
【図５】
0005105994.tif 000006
【図６】
0005105994.tif 000007